(57)【要約】【課題】モータを作動・停止するスイッチとを備え、このスイッチを男女の体がタッチする動作と無関係にＯＮ／ＯＦＦできるようにして、安定したモータの作動を得ようとするものである。【解決手段】軟質弾性材よりなる支持体に男性局部を挿入するリング部をほぼ直角の向きに連設するとともに、この支持体に取り付けたバイブレータで上記リング部の側面に振動を付与する局部刺激用のバイブユニットであり、バイブレータはその径方向が男性および女性の人体間に挟まれ、かつバイブレータの先端で上記リング部の側面に振動を付与するよう配置されており、またバイブレータがその本体内部に電池と振動モータ、およびその間にあってモータを作動・停止するスイッチとを備え、このスイッチを男女の体がタッチする動作と無関係にＯＮ／ＯＦＦできるようにしたことを特徴とする局部刺激用のバイブユニット。【選択図】          図１
2004154317.tif 000002
【特許請求の範囲】
【請求項１】
軟質弾性材よりなる支持体に男性局部を挿入するリング部をほぼ直角の向きに連設するとともに、この支持体に取り付けたバイブレータで上記リング部の側面に振動を付与する局部刺激用のバイブユニットであり、バイブレータはその径方向が男性および女性の人体間に挟まれ、かつバイブレータの先端で上記リング部の側面に振動を付与するよう配置されており、またバイブレータがその本体内部に電池と振動モータ、およびその間にあってモータを作動・停止するスイッチとを備え、このスイッチを男女の体がタッチする動作と無関係にＯＮ／ＯＦＦできるようにしたことを特徴とする局部刺激用のバイブユニット。
【請求項２】
バイブレータを軟質弾性材よりなる支持体に一体的に設けた収納筒内に保持し、収納部の端部をリング部の側面に連結してバイブレータの先端で上記リング部の側面に振動を付与するようにしてなる請求項１に記載の局部刺激用のバイブユニット。
【請求項３】
バイブレータを軟質弾性材よりなる支持体に設けた保持部に着脱自在に保持し、バイブレータの先端をリング部の側面に保持してバイブレータの先端で上記リング部の側面に振動を付与するようにしてなる請求項１に記載の局部刺激用のバイブユニット。
【請求項４】
男性局部を挿入するリング部にほぼ直角の向きに連設した支持体に取り付けたバイブレータを、ほぼ直角の位置よりやや前傾させてなる請求項１ないし３のいずれかに記載の局部刺激用のバイブユニット。
【発明の詳細な説明】
【０００１】
【発明の属する技術分野】この発明は、バイブレータを男性の局部に装着するとともに、バイブレータの径方向が男性および女性の人体間に挟まれるようにして、局部を刺激する機能をより高められるようにした局部刺激用のバイブユニットに関する。
【０００２】
【従来の技術】男女の体がタッチしたときに自動的にスイッチが入り、離れると自動的にスイッチがオフされる構造とした局部刺激用玩具は公知である（実用新案登録第３０６０６７４号公報参照）。この玩具に内蔵されるバイブユニットは、男女の体がタッチすることによる押圧作用でモータが電池と通電して振動し、双方の体が離れるとモータが電池との通電を絶たれるので停止する仕組みとなっている。
【０００３】上記の玩具に用いられるバイブユニットは、外圧を受けるとスイッチが自動的に入るので、例えば玩具輸送中に外部から不測に圧力が加わった場合にもスイッチが入って電池寿命が知らないうちに費えてしまうといった問題がある。またバイブユニットが本体内で位置ずれすると、圧力がかかってもスイッチ部分に当接しないでバイブが機能しないといった不具合もある。
【０００４】そのため、不使用時に外圧を受けてもスイッチが入らず、玩具内で移動してスイッチが正常に働かない場合にもモータを連続して作動させることができる局部刺激用のバイブユニットが提案された（実用新案登録第３０８８２４４号公報参照）。
【０００５】
【発明が解決しようとする課題】しかしながら、上記のいずれのものも基本的には男女の体がタッチしたときに自動的にスイッチが入り、離れると自動的にスイッチがオフされるものであり、安定したモータの作動を得ることが難しいという問題があった。
【０００６】そのためこの発明の局部刺激用のバイブユニットは、モータを作動・停止するスイッチとを備え、このスイッチを男女の体がタッチする動作と無関係にＯＮ／ＯＦＦできるようにして、安定したモータの作動を得ようとするものである。
【０００７】
【課題を解決するための手段】すなわちこの発明の局部刺激用のバイブユニットは、軟質弾性材よりなる支持体に男性局部を挿入するリング部をほぼ直角の向きに連設するとともに、この支持体に取り付けたバイブレータで上記リング部の側面に振動を付与する局部刺激用のバイブユニットであり、バイブレータはその径方向が男性および女性の人体間に挟まれ、かつバイブレータの先端で上記リング部の側面に振動を付与するよう配置されており、またバイブレータがその本体内部に電池と振動モータ、およびその間にあってモータを作動・停止するスイッチとを備え、このスイッチを男女の体がタッチする動作と無関係にＯＮ／ＯＦＦできるようにしたことを特徴とするものである。
【０００８】この発明の局部刺激用のバイブユニットは、上記バイブレータを軟質弾性材よりなる支持体に一体的に設けた収納筒内に保持し、収納部の端部をリング部の側面に連結してバイブレータの先端で上記リング部の側面に振動を付与するようにしたことをも特徴としている。
【０００９】この発明の局部刺激用のバイブユニットは、上記バイブレータを軟質弾性材よりなる支持体に設けた保持部に着脱自在に保持し、バイブレータの先端をリング部の側面に保持するようにしてバイブレータの先端で上記リング部の側面に振動を付与するようにしたことをも特徴としている。
【００１０】この発明の局部刺激用のバイブユニットは、上記男性局部を挿入するリング部にほぼ直角の向きに連設した支持体に取り付けたバイブレータを、ほぼ直角の位置よりやや前傾させたことをも特徴とするものである。
【００１１】この発明によれば、バイブレータはその径方向が男性および女性の人体間に挟まれ、かつバイブレータの先端で上記男性局部を挿入するリング部の側面に振動を付与するよう配置されているので、男性局部のみならず女性局部にも効果的に振動を付与することが可能な局部刺激用のバイブユニットを提供することができるようになった。
【００１２】またこの発明によれば、上記バイブレータを軟質弾性材よりなる支持体に設けた保持部に着脱自在に保持し、かつバイブレータの先端をリング部の側面に保持して振動を付与するようにしたので、バイブレータのメンテナンスや適宜サイズのものに交換することが簡単に行なえる局部刺激用のバイブユニットを提供することができるようになった。
【００１３】さらにこの発明によれば、上記男性局部を挿入するリング部にほぼ直角の向きに連設した支持体に取り付けたバイブレータを、ほぼ直角の位置よりやや前傾させたので、女性局部へ効果的に振動を付与することができ、男性局部のみならず女性局部をも効果的に刺激することが可能な局部刺激用のバイブユニットを提供することができるようになった。
【００１４】
【発明の実施の形態】以下図面に基いてこの発明の局部刺激用のバイブユニットを詳細に説明する。
図１はこの発明の局部刺激用のバイブユニットの１実施例を示す概略断面図、図２はその正面図、図３はこの発明の局部刺激用のバイブユニットの他の実施例を示す概略断面図、図４はその正面図、図５（ａ），（ｂ）はそれぞれバイブレータの正面図および側面図である。
【００１５】先ず図１および図２において、１は局部刺激用のバイブユニットであって、ゴム、シリコン等の軟質弾性材からなる支持体２の下部に男性局部を挿入するリング部３をほぼ直角の向きに連設するとともに、この支持体２に取り付けたバイブレータ４で上記リング部３の側面に振動を付与することができるように構成されている。すなわち、支持体２に一体的に設けた筒状の収納部５内にバイブレータ４をはめ込んで保持し、さらに収納部５の端部をリング部３の側面に一体的に連結することにより、バイブレータ４の先端で上記リング部３の側面に振動を付与するようになっており、男性局部に効果的に振動を付与することが可能となっている。したがって、この振動により男性局部の勃起力を高めることができるのである。
【００１６】上記バイブレータ４を収納保持する筒状の収納部５は、その長さ方向に沿って男性および女性の人体間に挟まれるようになっていて、その径方向が男性および女性の人体間に挟まれるので、バイブレータ４の振動が所定長さの線状に男性局部および女性局部に伝達されるようになっている。
【００１７】またバイブレータ４は、その本体ハウジング１１内部に電池１２と振動モータ１３、およびその間にあってモータ１３を作動・停止するスイッチ１４とを備え、このスイッチ１４を男女の体がタッチする動作と無関係にＯＮ／ＯＦＦできるようにしてある。
【００１８】すなわち、図示はしないがスイッチ１４はバイブレータ４を収納保持した筒状の収納部５のスイッチ１４部分をひねることによりスイッチ１４がＯＮ−ＯＦＦされるようになっている。すなわち、上記筒状の収納部５は軟質弾性材で構成されており、スイッチ１４のＯＮ−ＯＦＦ操作は単純な動作で簡単に行なうことができる。
【００１９】なお、上記男性局部を挿入するリング部３にほぼ直角の向きに連設した支持体２は、リング部３に対してほぼ直角の位置よりもやや前傾するよう形成されており、この支持体２に一体的に設けた筒状の収納部５内に取り付けたバイブレータ４も、したがってほぼ直角の位置よりやや前傾させてある。こうすることにより、女性局部へ効果的に振動を付与することができるので、局部刺激用のバイブレータを男性局部のみならず女性局部をも効果的に刺激できるものとすることが可能である。
【００２０】次に図３ないし図５はこの発明の局部刺激用のバイブユニットの他の実施例を示すものである。２１は局部刺激用のバイブユニットであって、ゴム、シリコン等の軟質弾性材からなる支持体２２の下部に男性局部を挿入する第１のリング部２３をほぼ直角の向きに連設するとともに、この支持体２２に取り付けたバイブレータ２４で上記第１のリング部２３の側面に振動を付与することができるように構成されている。すなわち、支持体２２上部に設けた第２のリング部２５内に着脱自在にバイブレータ２４をはめ込んで保持し、さらにバイブレータ２４の先端をリング部２３の側面に着脱自在に装着することにより、バイブレータ２４の先端で上記リング部２３の側面に振動を付与するようになっており、男性局部に効果的に振動を付与することが可能となっている。したがって、この振動により男性局部の勃起力を高めることができるのである。
【００２１】上記バイブレータ２４の上部外周には２段にリブ２６が形成されており、この１対のリブ２６間に第２のリング部２５がはめ込まれてバイブレータ２４を抜け止めするようになっている。バイブレータ２４は、その長さ方向に沿って男性および女性の人体間に挟まれるようになっていて、その径方向が男性および女性の人体間に挟まれるので、バイブレータ２４の振動が所定長さの線状に男性局部および女性局部に伝達されるようになっている。
【００２２】もちろん、バイブレータ２４のモータを作動・停止するスイッチは男女の体がタッチする動作と無関係にＯＮ／ＯＦＦできるようにしてある。
【００２３】なお、上記男性局部を挿入するリング部２３にほぼ直角の向きに連設した支持体２２は、リング部２３に対してほぼ直角の位置よりもやや前傾するよう形成されており、この支持体２２に第２のリング部２５を介して取り付けたバイブレータ２４も、したがってほぼ直角の位置よりやや前傾させてある。こうすることにより、女性局部へ効果的に振動を付与することができるので、局部刺激用のバイブレータを男性局部のみならず女性局部をも効果的に刺激できるものとすることが可能である。
【００２４】上記バイブレータ２４は、図５（ａ），（ｂ）に示すように１対のリブ２６の下部に複数の突起２８をその長さ方向に沿って連設した凹凸のある突条２７を設けてあり、この突起２８部分を支持体２２に設けた凹部２９と係合させることにより、振動を効果的に男性局部に伝達したり、バイブレータ２４の脱落を防止することができるようにしてある。
【００２５】この実施例のようにバイブレータ２４を支持体２２に対して着脱可能とすることにより、バイブレータ２４を支持体から外して簡単にメンテナンスすることができ、また必要に応じてバイブレータ２４を適宜サイズのものに交換することが可能である。
【００２６】
【発明の効果】この発明によれば、バイブレータはその径方向が男性および女性の人体間に挟まれ、かつバイブレータの先端で上記男性局部を挿入するリング部の側面に振動を付与するよう配置されているので、男性局部のみならず女性局部にも効果的に振動を付与することが可能な局部刺激用のバイブユニットを提供することができるようになった。
【００２７】またこの発明によれば、上記バイブレータを軟質弾性材よりなる支持体に設けた保持部に着脱自在に保持し、かつバイブレータの先端をリング部の側面に保持して振動を付与するようにしたので、バイブレータのメンテナンスや適宜サイズのものに交換することが簡単に行なえる局部刺激用のバイブユニットを提供することができるようになった。
【００２８】さらにこの発明によれば、上記男性局部を挿入するリング部にほぼ直角の向きに連設した支持体に取り付けたバイブレータを、ほぼ直角の位置よりやや前傾させたので、女性局部へ効果的に振動を付与することができ、男性局部のみならず女性局部をも効果的に刺激することが可能な局部刺激用のバイブユニットを提供することができるようになった。
【図面の簡単な説明】
【図１】この発明の局部刺激用のバイブユニットの１実施例を示す概略断面図である。
【図２】その正面図である。
【図３】この発明の局部刺激用のバイブユニットの他の実施例を示す概略断面図である。
【図４】その正面図である。
【図５】（ａ），（ｂ）はそれぞれバイブレータの正面図および側面図である。
【符号の説明】
１  局部刺激用のバイブユニット
２  支持体
３  リング部
４  バイブレータ
５  収納部
１１  本体ハウジング
１２  電池
１３  振動モータ
１４  スイッチ
２１  局部刺激用のバイブユニット
２２  支持体
２３  第１のリング部
２４  バイブレータ
２５  第２のリング部
２６  リブ
２７  突条
２８  突起
２９  凹部
【図１】
2004154317.tif 000003
【図２】
2004154317.tif 000004
【図３】
2004154317.tif 000005
【図４】
2004154317.tif 000006
【図５】
2004154317.tif 000007